(57)【要約】【課題】  容易に長さ調節ができる物品の留め具を提供する。【解決手段】  物品の留め具５はゴムロープ６と自在金具７を含み、自在金具７にはシート１のハトメ２寄りに第１、第２の物品側ロープ通し孔８、９、車体３のフック４寄りに第１、第２の掛止側ロープ通し孔１０、１１が設けてある。第１、第２の物品側ロープ通し孔８、９、第１、第２の掛止側ロープ通し孔１０、１１はゴムロープ６を摺接しながら挿入可能な内径とゴムロープ６の外径以上の孔長を有する。ゴムロープ６は一端側をハトメ２と第１、第２の物品側ロープ通し孔８、９に挿通してハトメ２に取り付け可能である。他端側は第１、第２の掛止側ロープ通し孔１０、１１に順に挿通して先端部を外部に出し、第１、第２の掛止側ロープ通し孔１０、１１の間のゴムロープ６を外部に引き出した状態で２つ折り状に引っ張り、折り曲げ部分を車体３のフック４に掛止可能である。【選択図】      図１
0003212756.tif 000002
【実用新案登録請求の範囲】
【請求項１】
物品に設けられたロープ取り付け部と掛止対象部材の間をゴムロープで止めるための物品の留め具であって、
２つの第１、第２の掛止側ロープ通し孔と、１つ以上の物品側ロープ通し孔が設けられた自在金具と、
一端側を物品のロープ取り付け部に取り付け可能なゴムロープを含み、
自在金具上で、第１、第２の掛止側ロープ通し孔は掛止対象部材寄り、物品側ロープ通し孔は物品のロープ取り付け部寄りに設けられており、
各第１、第２の掛止側ロープ通し孔、物品側ロープ通し孔の内、少なくとも第１、第２の掛止側ロープ通し孔は、ゴムロープの外面を孔壁に摺接させながら挿入可能な内径を有し、
ゴムロープの一端側を、物品側ロープ通し孔に挿通しながら物品のロープ取り付け部に取り付け、ゴムロープの他端側を、第１の掛止側ロープ通し孔に挿通したあと、更に第２の掛止側ロープ通し孔に挿通して先端部を外部に出し、第１、第２の掛止側ロープ通し孔の間のゴムロープを外部に引き出した状態で２つ折り状に引っ張り、折り曲げ部分を掛止対象部材に掛止可能としたこと、
を特徴とする物品の留め具。
【請求項２】
物品に設けられたロープ取り付け部と掛止対象部材の間をゴムロープで止めるための物品の留め具であって、
２つの第１、第２の掛止側ロープ通し孔と、１つ以上の物品側ロープ通し孔が設けられた自在金具と、
一端側を物品のロープ取り付け部に取り付け可能なゴムロープを含み、
自在金具上で、第１、第２の掛止側ロープ通し孔は掛止対象部材寄り、物品側ロープ通し孔は物品のロープ取り付け部寄りに設けられており、
各第１、第２の掛止側ロープ通し孔、物品側ロープ通し孔の内、少なくとも第１、第２の掛止側ロープ通し孔は、ゴムロープの外面を孔壁に摺接させながら挿入可能な内径を有し、
ゴムロープの一端側を、物品側ロープ通し孔に挿通しながら物品のロープ取り付け部に取り付け、ゴムロープの他端側を、第１の掛止側ロープ通し孔に挿通したあと、更に第２の掛止側ロープ通し孔に挿通して先端部を外部に出し、ゴムロープの中間を外部に引き出した状態で２つ折り状に引っ張り、折り曲げ部分を掛止対象部材に掛止可能としたこと、
を特徴としている。
を特徴とする物品の留め具。
【請求項３】
各第１、第２の掛止側ロープ通し孔、物品側ロープ通し孔の内、少なくとも第１、第２の掛止側ロープ通し孔は、ゴムロープの外径以上の孔長を有していること、
を特徴とする請求項１または２記載の物品の留め具。
【請求項４】
自在金具は、木材または硬質プラスチックまたは金属の材質で形成したこと、
を特徴とする請求項１乃至３の内のいずれか一項記載の物品の留め具。
【請求項５】
自在金具に意匠を施したこと、
を特徴とする請求項１乃至４の内のいずれか一項記載の物品の留め具。
【考案の詳細な説明】
【技術分野】
【０００１】
本考案は物品の留め具に係り、とくにシートなどの物品のロープ取り付け部に取り付けたロープをフックなどの掛止対象部材に掛止することで物品を固定する場合に好適な物品の留め具に関する。
【背景技術】
【０００２】
例えばトラックの荷台に積載した荷物の上に掛けたシートを車体のフックに固定する場合、シートのハトメに取り付けたロープ式の留め具を車体のフックに固定するようにしている。ロープ式の留め具の従来例として、特開２００４−２７６７８５号の発明が有る。この留め具は、ゴムロープを２つ折りにしてロープの両端部を合わせて金属製止め輪を嵌着し、この金属製止め輪にシートのハトメに掛脱自在な掛止部材を回転自在に装着し、ゴムロープの２つ折り部分の途中にリングをスライド自在に嵌着した構成を有している。使用時は、シートのハトメに掛止部材を掛止し、ゴムロープの２つ折りに曲がった部分を車体のフックに掛止し、リングを車体のフック寄りにスライドし、ゴムロープが車体のフックから外れないようにする。
【０００３】
けれども、上記した従来の留め具は、長さ調節ができないために、固定対象物品であるシートと掛止対象部材であるフックとの間の距離の適用範囲が狭いという欠点があった。
【先行技術文献】
【特許文献】
【０００４】
【特許文献１】特開２００４−２７６７８５号公報
【考案の概要】
【考案が解決しようとする課題】
【０００５】
本考案は上記した従来技術の問題に鑑みなされたもので、容易に長さ調節ができる物品の留め具を提供することを、その目的とする。
【課題を解決するための手段】
【０００６】
請求項１記載の考案では、
物品に設けられたロープ取り付け部と掛止対象部材の間をゴムロープで止めるための物品の留め具であって、
２つの第１、第２の掛止側ロープ通し孔と、１つ以上の物品側ロープ通し孔が設けられた自在金具と、
一端側を物品のロープ取り付け部に取り付け可能なゴムロープを含み、
自在金具上で、第１、第２の掛止側ロープ通し孔は掛止対象部材寄り、物品側ロープ通し孔は物品のロープ取り付け部寄りに設けられており、
各第１、第２の掛止側ロープ通し孔、物品側ロープ通し孔の内、少なくとも第１、第２の掛止側ロープ通し孔は、ゴムロープの外面を孔壁に摺接させながら挿入可能な内径を有し、
ゴムロープの一端側を、物品側ロープ通し孔に挿通しながら物品のロープ取り付け部に取り付け、ゴムロープの他端側を、第１の掛止側ロープ通し孔に挿通したあと、更に第２の掛止側ロープ通し孔に挿通して先端部を外部に出し、第１、第２の掛止側ロープ通し孔の間のゴムロープを外部に引き出した状態で２つ折り状に引っ張り、折り曲げ部分を掛止対象部材に掛止可能としたこと、
を特徴としている。
請求項２記載の考案では、
物品に設けられたロープ取り付け部と掛止対象部材の間をゴムロープで止めるための物品の留め具であって、
２つの第１、第２の掛止側ロープ通し孔と、１つ以上の物品側ロープ通し孔が設けられた自在金具と、
一端側を物品のロープ取り付け部に取り付け可能なゴムロープを含み、
自在金具上で、第１、第２の掛止側ロープ通し孔は掛止対象部材寄り、物品側ロープ通し孔は物品のロープ取り付け部寄りに設けられており、
各第１、第２の掛止側ロープ通し孔、物品側ロープ通し孔の内、少なくとも第１、第２の掛止側ロープ通し孔は、ゴムロープの外面を孔壁に摺接させながら挿入可能な内径を有し、
ゴムロープの一端側を、物品側ロープ通し孔に挿通しながら物品のロープ取り付け部に取り付け、ゴムロープの他端側を、第１の掛止側ロープ通し孔に挿通したあと、更に第２の掛止側ロープ通し孔に挿通して先端部を外部に出し、ゴムロープの中間を外部に引き出した状態で２つ折り状に引っ張り、折り曲げ部分を掛止対象部材に掛止可能としたこと、
を特徴としている。
請求項３記載の考案では、
各第１、第２の掛止側ロープ通し孔、物品側ロープ通し孔の内、少なくとも第１、第２の掛止側ロープ通し孔は、ゴムロープの外径以上の孔長を有していること、
を特徴としている。
請求項４記載の考案では、
自在金具は、木材または硬質プラスチックまたは金属の材質で形成したこと、
を特徴としている。
請求項５記載の考案では、
自在金具に意匠を施したこと、
を特徴としている。
【考案の効果】
【０００７】
本考案の１つによれば、ゴムロープの一端側を、物品側ロープ通し孔に挿通するとともに物品のロープ取り付け部に取り付け、ゴムロープの他端側を第１の掛止側ロープ通し孔に挿通したあと、更に第２の掛止側ロープ通し孔に挿通して先端部を外部に出し、第１、第２の掛止側ロープ通し孔の間のゴムロープを外部に引き出した状態で２つ折り状に引っ張り、折り曲げ部分を掛止対象部材に掛止すると、第１、第２の掛止側ロープ通し孔の孔口でゴムロープは張力が掛かった状態で略９０度折れ曲がる。この際、ゴムロープは孔口に強い力で押圧されて大きな摩擦力が生じるので、ゴムロープには第１、第２の掛止側ロープ通し孔の孔軸方向へ移動させる力は殆ど生じず、確実に物品を固定することができる。
また、物品のロープ取り付け部と掛止対象部材の間の距離の大小に合わせてゴムロープの２つ折り部分の長さを変えたい場合、掛止対象部材に掛止する前に、第２の掛止側ロープ通し孔に挿通されたゴムロープを孔軸に沿って引き出すことで、容易に長さ調節することができる。
本考案の他の１つによれば、ゴムロープの一端側を、物品側ロープ通し孔に挿通するとともに物品のロープ取り付け部に取り付け、ゴムロープの他端側を第１の掛止側ロープ通し孔に挿通したあと、更に第２の掛止側ロープ通し孔に挿通して先端部を外部に出し、ゴムロープの中間を外部に引き出した状態で２つ折り状に引っ張り、折り曲げ部分を掛止対象部材に掛止すると、第１の掛止側ロープ通し孔の孔口でゴムロープは張力が掛かった状態で略９０度折れ曲がる。この際、ゴムロープは孔口に強い力で押圧されて大きな摩擦力が生じるので、ゴムロープには第１の掛止側ロープ通し孔の孔軸方向へ移動させる力は殆ど生じず、確実に物品を固定することができる。
また、物品のロープ取り付け部と掛止対象部材の間の距離の大小に合わせてゴムロープの２つ折り部分の長さを変えたい場合、掛止対象部材に掛止する前に、第１の掛止側ロープ通し孔に挿通されたゴムロープを孔軸に沿って引き出すことで、容易に長さ調節することができる。
【図面の簡単な説明】
【０００８】
【図１】本考案の第１実施例に係る物品の留め具の使用状態を示す一部省略した斜視図である（実施例１）。
【図２】図１の背面図である。
【図３】図３は図１中の自在金具の正面図である。
【図４】図４は図１中の自在金具の断面図であり、（１）は図３のＡ−Ａ’線に沿った断面図、（２）は図３のＢ−Ｂ’線に沿った断面図である。
【図５】本考案の第２実施例に係る物品の留め具の使用状態を示す一部省略した斜視図である（実施例２）。
【図６】図５の背面図である。
【図７】図７は図５中の自在金具の正面図である。
【図８】図８は図５中の自在金具の断面図であり、（１）は図７のＣ−Ｃ’線に沿った断面図、（２）は図７のＤ−Ｄ’線に沿った断面図である。
【考案を実施するための最良の形態】
【０００９】
以下、本考案の最良の形態を実施例に基づき説明する。
【実施例１】
【００１０】
図１乃至図４を参照して本考案の第１実施例を説明する。図１は本考案に係る物品の留め具の使用状態を示す一部省略した斜視図、図２は図１の背面図、図３は図１中の自在金具の正面図、図４は自在金具の断面図であり、（１）は図３のＡ−Ａ’線に沿った断面図、（２）は図３のＢ−Ｂ’線に沿った断面図である。
図１乃至図４において、１は軽トラックの荷台の荷物の上に掛けられた物品の一例としてのシートであり、端部にロープ取り付け部の一例としての複数のハトメ２を有する（図１ではシート１の４隅に設けられたハトメの内の１つだけ示す）。３は軽トラックの車体、４は車体３の側面に複数個装着された掛止対象部材の一例としてのフック、５はシート１の端部をゴムロープを用いてフック４に固定するための物品の留め具である。
【００１１】
物品の留め具５は伸縮性の有るゴムロープ６と木製で略方形板状の自在金具７から成る。ゴムロープ６の外径はハトメ２の内径より小さい。自在金具７は、ハトメ寄りの上端部の右側と左側に第１、第２の物品側ロープ通し孔８と９、フック寄りの下端部の右側と左側に第１、第２の掛止側ロープ通し孔１０と１１が自在金具７の表裏を貫通するように形成されている。ゴムロープ６の外径をＣ、第１、第２の物品側ロープ通し孔８と９の孔径をｃ１、ｃ２、孔長をｐ１、ｐ２、第１、第２の掛止側ロープ通し孔１０と１１の孔径をｃ３、ｃ４、孔長をｐ３、ｐ４として、この実施例では、ｃ１乃至ｃ４は全て同じでＣより少しだけ大きく形成されており、ｐ１乃至ｐ４も全て同じでＣ以上の長さに形成されている。ゴムロープ６を先端から第１、第２の物品側ロープ通し孔８、９、第１、第２の掛止側ロープ通し孔１０、１１に押し込んだときゴムロープ６の外面を孔壁に摺接させながら容易に挿通可能になっている。ここでは一例としてハトメ２の内径が１２ｍｍ、ゴムロープ６の外径Ｃが６ｍｍ、ｃ１乃至ｃ４が６．５ｍｍ、ｐ１乃至ｐ４が８ｍｍに形成されているものとする。
【００１２】
ゴムロープ６の一端側は、先端の抜け止め用の結び目６ａがシート１のハトメ２に挿入されており、結び目６ａに続く部分がまず自在金具７の裏面（７ｂ）側から表面（７ａ）側へ第２の物品側ロープ通し孔９に挿通され、次に自在金具７の表面（７ａ）側から裏面（７ｂ）側に第１の物品側ロープ通し孔８に挿通され、更にシート１のハトメ２に挿通さている。これによりゴムロープ６の一端側がシート１のハトメ２に着脱自在に取り付けられている（なお、結び目６ａを解けばシート１のハトメ２から物品の留め具５を容易に分離できる）。
ハトメ２から出たゴムロープ６の他端側は自在金具７の裏面（７ｂ）側から表面（７ａ）側へ第１の掛止側ロープ通し孔１０に挿通され、最後に自在金具７の表面（７ａ）側から裏面（７ｂ）側へ第２の掛止側ロープ通し孔１１に挿通されて先端部分のゴムロープ６ｂが自在金具７の外部に引き出されている。ゴムロープ６の内、第１、第２の掛止側ロープ通し孔１０、１１の間の部分のゴムロープ６ｃもＵ字状に引き出されている。
【００１３】
上記の如くしてシート１のハトメ２に取り付けられた状態の物品の留め具５を用いてシート１を車体３のフック４に固定したい場合、第１、第２の掛止側ロープ通し孔１０、１１の間の部分のゴムロープ６ｃを外部に引き出した状態で２つ折り状に引っ張り、折り曲げ部分を車体３のフック４に掛止する（図１、図２の符号６ｃ’参照）。すると、第１、第２の掛止側ロープ通し孔１０、１１の中でゴムロープ６の外面が孔壁に摺接して移動し難くなっており、ゴムロープ６は孔口１２、１３で大きな張力が掛かった状態で略９０度折れ曲がる（図４参照）。この際、ゴムロープ６は孔口１２、１３に強い力で押圧されて大きな摩擦力が生じるので、ゴムロープ６には第１、第２の掛止側ロープ通し孔１０、１１の孔軸方向へ移動させる力は殆ど生じず、確実にシート１を車体３のフック４に固定することができる。
【００１４】
若し、シート１のハトメ２とフック４の距離が離れており、第１、第２の掛止側ロープ通し孔１０、１１の間のゴムロープ６ｃを長くしたい場合は、フック４に掛止させる前に、第２の掛止側ロープ通し孔１１から自在金具７の表面（７ａ）側へ孔軸に沿ってゴムロープ６ｃを引き出せば良く（但し、ゴムロープ６の先端部分６ｂは自在金具７の外部に出た状態のままとする）、反対にシート１のハトメ２とフック４の距離が近く、第１、第２の掛止側ロープ通し孔１０、１１の間のゴムロープ６ｃを少し短くしたい場合は、フック４に掛止させる前に、第２の掛止側ロープ通し孔１１から自在金具７の裏面（７ｂ）側へ孔軸に沿ってゴムロープ６ｂを引き出せば良い。
【００１５】
この実施例によれば、ゴムロープ６の一端側をシート１のハトメ２と自在金具７の第１、第２の物品側ロープ通し孔８、９に挿通してハトメ２に取り付け、ゴムロープ６の他端側を自在金具７の第１の掛止側ロープ通し孔１０に挿通したあと、更に第２の掛止側ロープ通し孔１１に挿通して先端部を自在金具７の外部に出し、第１、第２の掛止側ロープ通し孔１０、１１の間のゴムロープ６ｃを外部に引き出した状態で２つ折り状に引っ張り、折り曲げ部分を車体３のフック４に掛止すると、第１、第２の掛止側ロープ通し孔１０、１１の中でゴムロープ６の外面が孔壁に摺接して移動し難くなっており、ゴムロープ６は孔口１２、１３で大きな張力が掛かった状態で略９０度折れ曲がる。この際、ゴムロープ６は孔口１２、１３に強い力で押圧されて大きな摩擦力が生じるので、ゴムロープ６には第１、第２の掛止側ロープ通し孔１０、１１の孔軸方向へ移動させる力は殆ど生じず、確実にシート１を車体３に固定することができる。
また、シート１のハトメ２と車体３のフック４の距離の大小に合わせて、ゴムロープ６の２つ折り部分６ｃの長さを変えたい場合、フック４に掛止する前に、第２の掛止側ロープ通し孔１１に挿通されたゴムロープ６を孔軸に沿って自在金具７の表面側または裏面側に引き出すことで、容易に長さ調節することができる。
【実施例２】
【００１６】
図５乃至図８を参照して本考案の第２実施例を説明する。図５は本考案に係る物品の留め具の使用状態を示す一部省略した斜視図、図６は図５の背面図、図７は図５中の自在金具の正面図、図８は自在金具の断面図であり、（１）は図７のＣ−Ｃ’線に沿った断面図、（２）は図７のＤ−Ｄ’線に沿った断面図である。
図５乃至図８において、１は軽トラックの荷台の荷物の上に掛けられた物品の一例としてのシートであり、端部にロープ取り付け部の一例としての複数のハトメ２を有する（図５ではシート１の４隅に設けられたハトメの内の１つだけ示す）。３は軽トラックの車体、４は車体３の側面に複数個装着された掛止対象部材の一例としてのフック、２０はシート１の端部をゴムロープを用いてフック４に固定するための物品の留め具である。
【００１７】
物品の留め具２０は伸縮性の有るゴムロープ２１と木製で略方形板状の自在金具２２から成る。ゴムロープ２１の外径はハトメ２の内径より小さい。自在金具２２は、ハトメ寄りの上端部の左側と右側に第１、第２の物品側ロープ通し孔２３と２４、フック寄りの下端部の左側と右側に第１、第２の掛止側ロープ通し孔２５と２６が自在金具２２の表裏を貫通するように形成されている。ゴムロープ２１の外径をＣ、第１、第２の物品側ロープ通し孔２３と２４の孔径をｃ１、ｃ２、孔長をｐ１、ｐ２、第１、第２の掛止側ロープ通し孔２５と２６の孔径をｃ３、ｃ４、孔長をｐ３、ｐ４として、この実施例では、ｃ１乃至ｃ４は全て同じでＣより少しだけ大きく形成されており、ｐ１乃至ｐ４も全て同じでＣ以上の長さに形成されている。ゴムロープ２１を先端から第１、第２の物品側ロープ通し孔２３、２４、第１、第２の掛止側ロープ通し孔２５、２６に押し込んだときゴムロープ２１の外面を孔壁に摺接させながら容易に挿通可能になっている。ここでは一例としてハトメ２の内径が１２ｍｍ、ゴムロープ２１の外径Ｃが６ｍｍ、ｃ１乃至ｃ４が６．５ｍｍ、ｐ１乃至ｐ４が８ｍｍに形成されているものとする。
【００１８】
ゴムロープ２１の一端側は、先端の抜け止め用の結び目２１ａがシート１のハトメ２に挿入されており、結び目２１ａに続く部分がまず自在金具２２の裏面（２２ｂ）側から表面（２２ａ）側へ第２の物品側ロープ通し孔２４に挿通され、次に自在金具２２の表面（２２ａ）側から裏面（２２ｂ）側に第１の物品側ロープ通し孔２３に挿通され、更にシート１のハトメ２に挿通さている。これによりゴムロープ２１の一端側がシート１のハトメ２に着脱自在に取り付けられている（なお、結び目２１ａを解けばシート１のハトメ２から物品の留め具２０を容易に分離できる）。
ハトメ２から出たゴムロープ２１の他端側は自在金具２２の裏面（２２ｂ）側から表面（２２ａ）側へ第１の掛止側ロープ通し孔２５に挿通され、最後に自在金具２２の表面（２２ａ）側から裏面（２２ｂ）側へ第２の掛止側ロープ通し孔２６に挿通されて先端部分のゴムロープ２１ｂが自在金具２２の外部に引き出されている。ゴムロープ２１の内、中間のハトメ２と第１の係止側ロープ通し孔２５の間の部分のゴムロープ２１ｃもＵ字状に引き出されている。
【００１９】
上記の如くしてシート１のハトメ２に取り付けられた状態の物品の留め具２０を用いてシート１を車体３のフック４に固定したい場合、ゴムロープ２１の内、中間のハトメ２と第１の係止側ロープ通し孔２５の間の部分のゴムロープ２１ｃを外部に引き出した状態で２つ折り状に引っ張り、折り曲げ部分を車体３のフック４に掛止する（図５、図６の符号２１ｃ’参照）。すると、第１の掛止側ロープ通し孔２５の中でゴムロープ２１の外面が孔壁に摺接して移動し難くなっており、ゴムロープ２１は孔口２７で大きな張力が掛かった状態で略９０度折れ曲がる（図８参照）。この際、ゴムロープ２１は孔口２７に強い力で押圧されて大きな摩擦力が生じるので、ゴムロープ２１には第１の掛止側ロープ通し孔２５の孔軸方向へ移動させる力は殆ど生じず、確実にシート１を車体３のフック４に固定することができる。
【００２０】
若し、シート１のハトメ２とフック４の距離が離れており、ゴムロープ２１ｃの部分を長くしたい場合は、フック４に掛止させる前に、第２の掛止側ロープ通し孔２６から自在金具２２の表面（２２ａ）側へ孔軸に沿ってゴムロープ２１ｂを引き出し、第１の掛止側ロープ通し孔２５から自在金具２２の裏面（２２ｂ）側へ孔軸に沿ってゴムロープ２１ｃを引き出せば良く（但し、ゴムロープ２１の先端部分２１ｂは自在金具２２の外部に出た状態のままとする）、反対にシート１のハトメ２とフック４の距離が近く、ゴムロープ２１ｃを少し短くしたい場合は、フック４に掛止させる前に、第１の掛止側ロープ通し孔２５から自在金具２２の表面（２２ａ）側へ孔軸に沿ってゴムロープ２１ｃを引き出し、第２の掛止側ロープ通し孔２６から自在金具２２の裏面（２２ｂ）側へ孔軸に沿ってゴムロープ２１ｂを引き出せば良い。
【００２１】
この第２実施例によれば、ゴムロープ２１の一端側をシート１のハトメ２と自在金具２２の第１、第２の物品側ロープ通し孔２３、２４に挿通してハトメ２に取り付け、ゴムロープ２１の他端側を自在金具２２の第１の掛止側ロープ通し孔２５に挿通したあと、更に第２の掛止側ロープ通し孔２６に挿通して先端部を自在金具２２の外部に出し、ゴムロープ２１の中間のハトメ２と第１の掛止側ロープ通し孔２５の間のロープ２１ｃを外部に引き出した状態で２つ折り状に引っ張り、折り曲げ部分を車体３のフック４に掛止すると、第１の掛止側ロープ通し孔２５の中でゴムロープ２１の外面が孔壁に摺接して移動し難くなっており、ゴムロープ２１は孔口２７で大きな張力が掛かった状態で略９０度折れ曲がる。この際、ゴムロープ２１は孔口２７に強い力で押圧されて大きな摩擦力が生じるので、ゴムロープ２１には第１の掛止側ロープ通し孔２５の孔軸方向へ移動させる力は殆ど生じず、確実にシート１を車体３に固定することができる。
また、シート１のハトメ２と車体３のフック４の距離の大小に合わせて、ゴムロープ２１の２つ折り部分２１ｃの長さを変えたい場合、フック４に掛止する前に、第１、第２の掛止側ロープ通し孔２５、２６に挿通されたゴムロープ２１を孔軸に沿って自在金具２２の表面側または裏面側に引き出すことで、容易に長さ調節することができる。
【００２２】
なお、上記した各実施例では、自在金具を木製とした例を挙げたが、本考案は何らこれに限定されず、硬質プラスチック製としたり、金属製としてもも良い。
また、自在金具を略方形板状としたが、円盤状、楕円状、多角形状、球状、フットボール状などの形状としても良い。
また、２つの物品側ロープ通し孔を設けた場合を例に挙げたが、１つまたは３つ以上としても良い。
また、自在金具の表面に文字・図柄・絵などを印刷または描画したり、自在金具に文字・図柄・図柄・絵などを透かし彫りしたりすることにより意匠を施しても良い。
また、上記した各実施例では被固定対象物品としてシートを例に挙げたが、テント、幕その他の物品を対象としても良く、同様に、掛止対象部材としてフックを例に挙げたが、アンカーボルト、杭その他の部材を対象としても良い。
【産業上の利用可能性】
【００２３】
本考案は、シート、テント、幕等のロープ取り付け部を有する物品をフック、アンカーボルト、杭等の掛止対象部材に固定する場合に適用可能である。
【符号の説明】
【００２４】
１  シート
２  ハトメ
３  車体
４  フック
５、２０  物品の留め具
６、２１  ゴムロープ
７、２２  自在金具
８、２３  第１の物品側ロープ通し孔
９、２４  第２の物品側ロープ通し孔
１０、２５  第１の掛止側ロープ通し孔
１１、２６  第２の掛止側ロープ通し孔
１２、１３、２７  孔口
【図１】
0003212756.tif 000003
【図２】
0003212756.tif 000004
【図３】
0003212756.tif 000005
【図４】
0003212756.tif 000006
【図５】
0003212756.tif 000007
【図６】
0003212756.tif 000008
【図７】
0003212756.tif 000009
【図８】
0003212756.tif 000010